【手続補正書】
【提出日】平成16年12月9日(2004.12.9)
【手続補正１】
【補正対象書類名】明細書
【補正対象項目名】特許請求の範囲
【補正方法】変更
【補正の内容】
【特許請求の範囲】
【請求項１】
光源手段から出射された光束を偏向素子で偏向させた後、走査光学手段と反射手段とにより被走査面上に導光し、該光束で該被走査面上を走査する走査光学装置において、
前記走査光学手段は、第１の走査光学素子と第２の走査光学素子からなり、
前記偏向素子側から順に該第１の走査光学素子、前記反射手段、該第２の走査光学素子が光路内に配置され、
副走査断面内において、該第１の走査光学素子の前側焦点位置が該偏向素子の偏向面にあり、該第２の走査光学素子の後側焦点位置が該被走査面上にあることを特徴とする走査光学装置。
【請求項２】
副走査断面内において前記第２の走査光学素子の焦点距離をｆs、該第２の走査光学素子の後側主平面から被走査面までの距離をｈsとしたとき、
５＜ｈ4s／ｆ4s＜２．０
なる条件を満足することを特徴とする請求項１に記載の走査光学装置。
【請求項３】
光源手段から出射された光束を偏向素子で偏向させた後、走査光学手段と反射手段とにより被走査面上に導光し、該光束で該被走査面上を走査する走査光学装置において、
前記走査光学手段は、複数の走査光学素子を有しており、
前記反射手段は、該複数の走査光学素子の間の光路内に配置され、
該反射手段に入射する光束を副走査断面内において略平行光束としていることを特徴とする走査光学装置。
【請求項４】
光源手段から出射された光束を偏向素子で偏向させた後、走査光学手段と反射手段とにより被走査面上に導光し、該光束で該被走査面上を走査する走査光学装置において、
前記走査光学手段は、複数の走査光学素子を有し、
前記反射手段は、該複数の走査光学素子の間の光路内に配置され、
副走査断面内において、前記偏向手段と該反射手段の間の光路に設けられた走査光学素子の前側焦点位置が該偏向素子の偏向面にあり、該反射手段と被走査面の間の光路に設けられた走査光学素子の後側焦点位置が該被走査面上にあることを特徴とする走査光学装置。
【請求項５】
前記走査光学手段は副走査断面内において前記偏向素子の偏向面と前記被走査面とを共役関係としていることを特徴とする請求項１〜４のいずれか一項に記載の走査光学装置。
【請求項６】
前記反射手段は姿勢調整が可能であることを特徴とする請求項１乃至５のいずれか１項に記載の走査光学装置。
【請求項７】
前記光源手段はマルチビーム半導体レーザーであることを特徴とする請求項１乃至６のいずれか１項に記載の走査光学装置。
【請求項８】
請求項１乃至７のいずれか１項記載の走査光学装置と、それに対応する像担持体との組を複数有し、各走査光学装置から出射された光束を各々対応する像担持体面上に導光し、該光束で該像担持体面上を走査して、該像担持体面に異なった色光の画像を形成し、該複数の像担持体面上に形成した画像よりカラー画像を形成することを特徴とするカラー画像形成装置。
【請求項９】
請求項１乃至７のいずれか１項記載の走査光学装置と、該被走査面に対応する位置に設けられた像担持体と、を有することを特徴とする画像形成装置。
【手続補正２】
【補正対象書類名】明細書
【補正対象項目名】０００９
【補正方法】変更
【補正の内容】
【０００９】
【課題を解決するための手段】
請求項１の発明の走査光学装置は、光源手段から出射された光束を偏向素子で偏向させた後、走査光学手段と反射手段とにより被走査面上に導光し、該光束で該被走査面上を走査する走査光学装置において、
前記走査光学手段は、第１の走査光学素子と第２の走査光学素子からなり、
前記偏向素子側から順に該第１の走査光学素子、前記反射手段、該第２の走査光学素子が光路内に配置され、
副走査断面内において、該第１の走査光学素子の前側焦点位置が該偏向素子の偏向面にあり、該第２の走査光学素子の後側焦点位置が該被走査面上にあることを特徴としている。
【手続補正３】
【補正対象書類名】明細書
【補正対象項目名】００１０
【補正方法】変更
【補正の内容】
【００１０】
請求項２の発明は請求項１の発明において、副走査断面内において前記第２の走査光学素子の焦点距離をｆs、該第２の走査光学素子の後側主平面から被走査面までの距離をｈsとしたとき、
５＜ｈ4s／ｆ4s＜２．０
なる条件を満足することを特徴としている。
【手続補正４】
【補正対象書類名】明細書
【補正対象項目名】００１１
【補正方法】変更
【補正の内容】
【００１１】
請求項３の発明の走査光学装置は、光源手段から出射された光束を偏向素子で偏向させた後、走査光学手段と反射手段とにより被走査面上に導光し、該光束で該被走査面上を走査する走査光学装置において、
前記走査光学手段は、複数の走査光学素子を有しており、
前記反射手段は、該複数の走査光学素子の間の光路内に配置され、
該反射手段に入射する光束を副走査断面内において略平行光束としていることを特徴としている。
【手続補正５】
【補正対象書類名】明細書
【補正対象項目名】００１２
【補正方法】変更
【補正の内容】
【００１２】
請求項４の発明の走査光学装置は、光源手段から出射された光束を偏向素子で偏向させた後、走査光学手段と反射手段とにより被走査面上に導光し、該光束で該被走査面上を走査する走査光学装置において、
前記走査光学手段は、複数の走査光学素子を有し、
前記反射手段は、該複数の走査光学素子の間の光路内に配置され、
副走査断面内において、前記偏向手段と該反射手段の間の光路に設けられた走査光学素子の前側焦点位置が該偏向素子の偏向面にあり、該反射手段と被走査面の間の光路に設けられた走査光学素子の後側焦点位置が該被走査面上にあることを特徴としている。
【手続補正６】
【補正対象書類名】明細書
【補正対象項目名】００１３
【補正方法】変更
【補正の内容】
【００１３】
請求項５の発明は、請求項１〜４のいずれか１項の発明において、前記走査光学手段は副走査断面内において前記偏向素子の偏向面と前記被走査面とを共役関係としていることを特徴としている。
【手続補正７】
【補正対象書類名】明細書
【補正対象項目名】００１４
【補正方法】変更
【補正の内容】
【００１４】
請求項６の発明は、請求項１〜５のいずれか１項の発明において、前記反射手段は姿勢調整が可能であることを特徴としている。
【手続補正８】
【補正対象書類名】明細書
【補正対象項目名】００１５
【補正方法】変更
【補正の内容】
【００１５】
請求項７の発明は、請求項１〜６のいずれか１項の発明において、前記光源手段はマルチビーム半導体レーザーであることを特徴としている。
【手続補正９】
【補正対象書類名】明細書
【補正対象項目名】００１６
【補正方法】変更
【補正の内容】
【００１６】
請求項８の発明のカラー画像形成装置は、請求項１乃至７のいずれか１項記載の走査光学装置と、それに対応する像担持体との組を複数有し、各走査光学装置から出射された光束を各々対応する像担持体面上に導光し、該光束で該像担持体面上を走査して、該像担持体面に異なった色光の画像を形成し、該複数の像担持体面上に形成した画像よりカラー画像を形成することを特徴としている。
【手続補正１０】
【補正対象書類名】明細書
【補正対象項目名】００１７
【補正方法】変更
【補正の内容】
【００１７】
請求項９の発明の画像形成装置は、請求項１乃至７のいずれか１項記載の走査光学装置と、該被走査面に対応する位置に設けられた像担持体と、を有することを特徴としている。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】